(57)【特許請求の範囲】
【請求項１】
前後左右の枠部材によって平面視ほぼ矩形状に形成された座フレーム枠と、この座フレーム枠の各枠部材の内周面に周端縁が張設される弾性膜状部材とより形成した座体を備える椅子において、
前記座フレーム枠の後部枠部材から、その前端部が前記後部枠部材の上面より下方に位置するように前下方に向けて湾曲させた後舌片を延設し、この後舌片の前端部に、前記弾性膜状部材の後端縁を支持させてなるとともに、前記弾性膜状部材が、側面視において、前部の最高点から、前記後舌片の下向きに湾曲した前端部に支持される最下点までを結ぶ緩やかな弧形をなすようにすることにより、前記座体の着座面における前後方向のほぼ中間部から、前記後部枠部材の後舌片の前端部に向けて漸次深くなる凹陥部を形成しうるようにしたことを特徴とする椅子。
【請求項２】
弾性膜状部材の前部を、側面視において、前部枠部材から後上方に向けて弧状をなすように延設した前舌片上に保持させる請求項１記載の椅子。
【請求項３】
凹陥部を、平面視において、座体の着座面における前後方向のほぼ中間部から、後部枠部材の後舌片の前端部に向けて徐々に窄まりながら下方へ沈んでいくような形状をなすものとした請求項１または２記載の椅子。
【請求項４】
座フレーム枠における左右の側部枠部材を、側面視において、後方上向きの弧形をなす前部の最高点から、後方下向きの中間部および後部の最下点を経て、後方上向きの緩やかな弧形をなすように支持しうる形状に形成するとともに、後部枠部材から前下方に向けて下向きに湾曲するように延設した後舌片の前端部が、前記側部枠部材における後部の最下点よりも後方でかつ下方の部位に位置しうるようにした請求項１〜３のいずれかに記載の椅子。
【請求項５】
後舌片を、座フレーム枠における後部枠部材の左右方向のほぼ中央部より前方下向きに延設することによって、弾性膜状部材の後部を、その左右両側部から中央部に向けて下向きに湾曲する緩やかな弧形をなすものとした請求項１〜４のいずれかに記載の椅子。
【請求項６】
後舌片を、平面視において、前辺の長さが後辺の長さよりも小とするほぼ台形をなすものとした請求項１〜５のいずれかに記載の椅子。
【請求項７】
後舌片の前辺を、平面視において、後方へ湾曲する緩やかな弧形をなすものとした請求項６記載の椅子。
【発明の詳細な説明】
【技術分野】
【０００１】
本発明は、平面視ほぼ矩形状の座フレーム枠に弾性を有する膜状部材（以下、弾性膜状部材という）を張設することによって着座面が形成された座体を備える椅子に関する。
【背景技術】
【０００２】
椅子の座体を、平面視ほぼ矩形状の座フレーム枠によって形成するとともに、座フレーム枠における前後左右の互いに対向する枠部材間に、高張力で伸縮性を有する合成繊維、たとえばポリアミド繊維やポリプロピレン繊維等からなるメッシュ状に編成または織成した弾性膜状部材を張設することによって、座体の着座面に、適度な弾力性を付与したものが公知である（特許文献１，２参照）。
また、座体を、金型を用いた座フレーム枠の成形と同時に、弾性膜状部材が、座フレーム枠と一体に適宜の張力でもって張設されるように成形したものも公知となっている（特許文献３，４参照）。
【０００３】
しかし、各特許文献に記載の椅子では、いずれも、座体の着座面の弾力性が、弾性膜状部材の素材そのものの弾性と、弾性膜状部材を座フレーム枠の枠部材に張設する際の引張力とによって付与するようになっていることから、着座面が平坦な面であると、着座時に、着座者の臀部の位置が安定しない。
そこで、着座時に、着座者の臀部を安定化させるために、着座面の後部における左右方向の中央部を、側面視において、下方に向けて湾曲する弧形状をなすような側面視曲線形状にして、その位置に着座者の臀部が収まるようにすることが望ましい。
【０００４】
しかし、座フレーム枠を形成する左右の側部枠部材だけを、下方に向けて湾曲する弧形状として、弾性膜状部材の左右の側端縁を張設することにより、前記のような側面視曲線形状に強制的に変形させようとしても、座フレーム枠を形成する前後の枠部材にも弾性膜状部材の前後の端縁が張設されていることから、弾性膜状部材の全周端縁に加わる引張力によって、弾性膜状部材が、平坦な面となるように水平状態に近づこうとする。
そのため、着座面における左右方向の中央部の形状を、前記した側面視曲線形状に強制的に維持しうるようにするためには、複雑な保持手段が別途に必要となり、簡単には弾性膜状部材の側面視曲線形状を、長期に亘って維持することができないという問題がある。
【先行技術文献】
【特許文献】
【０００５】
【特許文献１】特開２００３−４７５３４号公報
【特許文献２】特開２００３−１１１６３７号公報
【特許文献３】特許第３２００４０９号公報
【特許文献４】特許第３６７６０９５号公報
【発明の概要】
【発明が解決しようとする課題】
【０００６】
本発明は、上記した現状に鑑み、着座面における弾性膜状部材の側面視曲線形状を、長期に亘って維持することができるとともに、安定した着座姿勢を保つことできるようにした椅子を提供することを目的とする。
【課題を解決するための手段】
【０００７】
上記課題は、「特許請求の範囲」の欄における各請求項に記載するように、次のような構成からなる発明によって解決される。
【０００８】
（１）  前後左右の枠部材によって平面視ほぼ矩形状に形成された座フレーム枠と、この座フレーム枠の各枠部材の内周面に周端縁が張設される弾性膜状部材とより形成した座体を備える椅子において、前記座フレーム枠の後部枠部材から、その前端部が前記後部枠部材の上面より下方に位置するように前下方に向けて湾曲させた後舌片を延設し、この後舌片の前端部に、前記弾性膜状部材の後端縁を支持させてなるとともに、前記弾性膜状部材が、側面視において、前部の最高点から、前記後舌片の下向きに湾曲した前端部に支持される最下点までを結ぶ緩やかな弧形をなすようにすることにより、前記座体の着座面における前後方向のほぼ中間部から、前記後部枠部材の後舌片の前端部に向けて漸次深くなる凹陥部を形成しうるようにする。
【０００９】
（２）  上記（１）項において、弾性膜状部材の前部を、側面視において、前部枠部材から後上方に向けて弧状をなすように延設した前舌片上に保持させる。
【００１０】
（３）  上記（１）項または（２）項において、凹陥部を、平面視において、座体の着座面における前後方向のほぼ中間部から、後部枠部材の後舌片の前端部に向けて徐々に窄まりながら下方へ沈んでいくような形状をなすものとする。
【００１１】
（４）  上記（１）〜（３）項のいずれかにおいて、座フレーム枠における左右の側部枠部材を、側面視において、後方上向きの弧形をなす前部の最高点から、後方下向きの中間部および後部の最下点を経て、後方上向きの緩やかな弧形をなすように支持しうる形状に形成するとともに、後部枠部材から前下方に向けて下向きに湾曲するように延設した後舌片の前端部が、前記側部枠部材における後部の最下点よりも後方でかつ下方の部位に位置しうるようにする。
【００１２】
（５）  上記（１）〜（４）項のいずれかにおいて、後舌片を、座フレーム枠における後部枠部材の左右方向のほぼ中央部より前方下向きに延設することによって、弾性膜状部材の後部を、その左右両側部から中央部に向けて下向きに湾曲する緩やかな弧形をなすものとする。
【００１３】
（６）  上記（１）〜（５）項のいずれかにおいて、後舌片を、平面視において、前辺の長さが後辺の長さよりも小とするほぼ台形をなすものとする。
【００１４】
（７）  上記（６）項において、後舌片の前辺を、平面視において、後方へ湾曲する緩やかな弧形をなすものとする。
発明の具体的な内容は、次の通りである。
【発明の効果】
【００１５】
本発明によると、次のような効果が奏せられる。
請求項１記載の発明によれば、座フレーム枠の後部枠部材から、その前端部が後部枠部材の上面より下方に位置するように前下方に向けて湾曲させた後舌片を延設し、この後舌片の前端部に、弾性膜状部材の後端縁を支持させてなるとともに、弾性膜状部材が、側面視において、前部の最高点から、後舌片の下向きに湾曲した前端部に支持される最下点までを結ぶ緩やかな弧形をなすようにしてあるため、着座面における弾性膜状部材の側面視曲線形状を、長期に亘って維持することができる。
また、座体の着座面における前後方向のほぼ中間部から、後部枠部材の後舌片の前端部に向けて漸次をもって深くなる凹陥部を形成しうるようにしてあるため、着座時に、着座者の臀部の収まりが良くなり、安定した着座姿勢を保つことできる。
【００１６】
請求項２記載の発明によれば、弾性膜状部材の前部を、側面視において、前部枠部材から後上方に向けて弧状をなすように延設した前舌片上に保持させてあるため、弾性膜状部材の前部を、側面視において後上方に向けて弧状をなすような曲線形状に、長期に亘って維持することができる。
【００１７】
請求項３記載の発明によれば、凹陥部を、平面視において、座体の着座面における前後方向のほぼ中間部から、後部枠部材の後舌片の前端部に向けて徐々に窄まりながら下方へ沈んでいくような形状をなすため、着座時に、着座者の臀部の収まりが良くなり、より安定した着座姿勢を保つことできる。
【００１８】
請求項４記載の発明によれば、座フレーム枠における左右の側部枠部材を、側面視において、後方上向きの弧形をなす前部の最高点から、後方下向きの中間部および後部の最下点を経て、後方上向きの緩やかな弧形をなすように支持しうる形状に形成してあるため、座体の美観性を高めることができる。
また、後舌片の前端部を、弾性膜状部材の左右方向の側端縁が支持される側部枠部材後部の最下点よりも下方に位置しうるようにしてあるため、弾性膜状部材の左右方向の中央部が、引張力によって、平坦な面となるように水平状態に復帰しようとしても、前記側部枠部材の側面視形状による形状強制力よりも強い形状強制力を付与することができ、凹陥部の形状を安定させることができる。
さらに、後舌片の前端部を、弾性膜状部材の左右方向の側端縁が支持される側部枠部材後部の最下点よりも後方に位置しうるようにしてあるため、凹陥部の平面視形状を、側部枠部材の後部から、後舌片に向けて徐々に後方へ湾曲しうるような形状にすることができ、後部枠部材の平面視および側面視形状と容易に整合させることができる。
【００１９】
請求項５記載の発明によれば、後舌片を、座フレーム枠における後部枠部材の左右方向のほぼ中央部より前方下向きに延設することによって、弾性膜状部材の後部中央を、その左右両側部から中央部に向けて徐々に下向きに湾曲する緩やかな弧形をなすような形状に支持してあるため、弾性膜状部材を、側面視後方に下向きの弧形状の凹陥部に容易に形成することができ、この凹陥部によって、着座者の臀部が左右にずれないように確実に保持されるとともに、弾性膜状部材の側面視曲線形状を長期に亘って維持することができる。
【００２０】
請求項６記載の発明によれば、後舌片を、平面視において、前辺の長さが後辺の長さよりも小とするほぼ台形をなすものとしてあるため、後舌片の左右両側辺が、平面視において中央へ向けて傾斜する形状となり、後舌片の前端部による下方への形状強制力を緩和することができ、弾性膜状部材を、後方に下向きの弧形状に効果的に形成することができるとともに、凹陥部を、安定した自然な湾曲状態の形状にすることができる。
【００２１】
請求項７記載の発明によれば、後舌片の前辺を、平面視において、後方へ湾曲する緩やかな弧形をなすものとしてあるため、弾性膜状部材における後端縁の上下のバランスを効果的に調整することができ、凹陥部を、より安定した自然な湾曲状態の形状にすることができる。
【図面の簡単な説明】
【００２２】
【図１】本発明における一実施形態の椅子の斜視図である。（実施例）
【図２】同じく、椅子の背面図である。
【図３】図２におけるIII−III線の椅子への着座状態を示す中央縦断面図である。
【図４】椅子の分解斜視図である。
【図５】図４におけるＶ−Ｖ線の座体の拡大縦断面図である。
【図６】図４におけるVI−VI線の座体の拡大縦断面図である。
【図７】図４におけるVII−VII線の座体の拡大縦断端面図である。
【図８】図４におけるVIII−VIII線の背凭れの拡大横断端面図である。
【図９】図４におけるIX−IX線の背凭れの拡大横断端面図である。
【図１０】図４におけるＸ−Ｘ線の背凭れの拡大縦断端面図である。
【図１１】図４におけるXI−XI線の背凭れの拡大縦断端面図である
【発明を実施するための形態】
【００２３】
本発明の一実施形態を、添付図面を参照して説明する。
図１は、本発明における一実施形態の椅子の斜視図、図２は、同じく、椅子の背面図、図３は、図２におけるIII−III線の椅子への着座状態を示す中央縦断面図、図４は、椅子の分解斜視図である。
【実施例】
【００２４】
図１から図４に示すように、本発明の椅子１は、脚体２を、金属パイプを側面視ほぼ方形枠状に折曲して形成した左右１対の側脚３，３と、この左右の側脚３，３の上部同士を連結する左右方向を向く前後１対の連結杆４，５とをもって形成するとともに、前記脚体２の上面に座体６を取り付け、かつこの座体６の後部に背凭れ７を起立させて取り付けることにより構成されている。
【００２５】
座体６は、例えばポリプロピレン等の合成樹脂材製の座フレーム枠８を、前後の枠部材８Ａ，８Ｂと左右の枠部材８Ｃ，８Ｃとによって平面視ほぼ矩形状に形成するとともに、これら各枠部材８Ａ〜８Ｃの内周面に、たとえばポリアミド繊維やポリプロピレン繊維等をメッシュ状に編成または織成した弾性膜状部材９の周端縁を、一体成型により張設することによって形成されている。
【００２６】
図５は、図４におけるＶ−Ｖ線の座体の拡大縦断面図、図６は、図４におけるVI−VI線の座体の拡大縦断面図、図７は、図４におけるVII−VII線の座体の拡大縦断端面図、図８は、図４におけるVIII−VIII線の座体の拡大縦断端面図である。
【００２７】
図５〜図８に示すように、弾性膜状部材９は、その前端縁９ａが、座フレーム枠８における前部枠部材８Ａの内周面に、その後端縁９ｂが座フレーム枠８における後部枠部材８Ｂの内周面に、左右の側端縁９ｃ，９ｃが座フレーム枠８における左右の側部枠部材８Ｃ，８Ｃの内周面にそれぞれ支持されている。
【００２８】
前部枠部材８Ａには、図５および図６に示すように、側面視において、後上方に向けて弧状をなすように延設した前舌片１０が形成されているとともに、この前舌片１０の上面には、弾性膜状部材９の前部側が保持されるようになっている。
前舌片１０は、図７に示すように、左右方向の中央部から、それぞれ左右の側部枠部材８Ｃ，８Ｃに向けて下方に突出して湾曲する弧形状の正面視断面形状を有するとともに、その後端部１０ａは、弾性膜状部材９の下面に直接接触しないように下方に湾曲させてある。
これにより、前舌片１０は、図３に示すように、着座者の着座時の荷重によって、臀部が後記する凹陥部１２内に沈み込み、左右の太腿の下部が、前記前舌片１０の下方に突出する弧形状の左右の凹面に接触しうるように、弾性膜状部材９と共に下方に撓み込んで、着座者の荷重に対してクッション作用をなすようにしてある。
【００２９】
後部枠部材８Ｂは、平面視において後方へ湾曲する緩やかな弧形をなし、かつ、背面視において下方へ湾曲する緩やかな弧形をなすとともに、その左右方向のほぼ中央部には、平面視において、前辺の長さが後辺の長さよりも小とするほぼ台形をなす後舌片１１が形成されている。
この後舌片１１は、その前端部１１ａに相当する前辺を、平面視において後方へ湾曲する緩やかな弧形をなすように形成されているとともに、前記後部枠部材８Ｂの上面より下方に位置するように前方下向きに湾曲させて延設させてある。
【００３０】
すなわち、後舌片１１の前端部１１ａには、弾性膜状部材９における後端縁９ｂの左右方向の中央部が支持され、図８に示すように、弾性膜状部材９の後部中央を、その左右両側部から中央部に向けて徐々に下向きに湾曲する緩やかな弧形をなすような形状に支持しうるようになっている。
これにより、図５に示すように、弾性膜状部材９が、側面視において、前部枠部材８Ａから後上方に向けて弧状をなすように延設した前舌片１０の左右方向の中央部上に保持される前部の最高点Ｐから、前記後舌片１１の下向きに湾曲した前端部１１ａに支持される後部の最下点Ｑまでを結ぶ緩やかな弧形をなすように張設することにより、前記座体６の着座面における前後方向のほぼ中間部の前記前舌片１０の後端部１０ａから、前記後部枠部材８Ｂの後舌片１１の前端部１１ａに向けて漸次深くなる凹陥部１２が形成され、この凹陥部１２によって、前記した前舌片１０の正面視断面形状と共に、着座者の臀部および太腿が左右にずれないように確実に保持されるようになっている。
【００３１】
側部枠部材８Ｃは、図６に示すように、側面視において、後方上向きの弧形をなす前部の最高点Ｒから、後方下向きの中間部および後部の最下点Ｓを経て、後方上向きの緩やかな弧形をなすように支持しうる形状に形成されているとともに、後舌片１１の前端部１１ａに支持された弾性膜状部材９後部の最下点Ｑが、弾性膜状部材９の左右方向の側端縁を支持する側部枠部材８Ｃ後部の最下点Ｓよりも後方でかつ下方の部位に位置しうるようになっている。
これにより、前記凹陥部１２は、側部枠部材８Ｃの最高点Ｒの方が前舌片１０における左右方向の中央部よりも上方に位置しているため、座体６の前部も、左右から中央に向って徐々に低くなる側面視形状をなすとともに、後舌片１１の前端部１１ａに支持された弾性膜状部材９後部の最下点Ｑは、側部枠部材８Ｃ後部の最下点Ｓよりも後方に位置しているため、側部枠部材８Ｃの最高点Ｒから最下点Ｓまでは、平面視において後方に向けて拡開することなく下方へ沈んでいくような形状をなし、かつ側部枠部材８Ｃの最下点Ｓから、弾性膜状部材９後部の最下点Ｑである後舌片１１の前端部１１ａに向けて、平面視において徐々に窄まりながら下方へ沈んでいくような形状をなし、着座時に、着座者の臀部の収まりが良くなり、より安定した着座姿勢を保つことできる。
また、側部枠部材８Ｃを、側面視において、後方上向きの弧形をなす前部の最高点Ｒから、後方下向きの中間部および後部の最下点Ｓを経て、後方上向きの緩やかな弧形をなすように支持しうる形状に形成してあるため、座体の美観性を高めることができる。
さらに、後舌片１１の前端部１１ａである弾性膜状部材９の後端の最下点Ｑを、弾性膜状部材９の左右方向の側端縁が支持される側部枠部材８Ｃ後部の最下点Ｓよりも下方に位置しうるようにしてあるため、弾性膜状部材９の左右方向の中央部が、引張力によって、平坦な面となるように水平状態に復帰しようとしても、前記側部枠部材８Ｃの側面視形状による形状強制力よりも強い形状強制力を付与することができ、凹陥部１２の形状を安定させることができる。
また、弾性膜状部材９の左右方向の側端縁が支持される側部枠部材８Ｃ後部の最下点Ｓよりも後方に位置しうるようにしてあるため、凹陥部１２の平面視形状を、側部枠部材８Ｃの後部から、後舌片１１に向けて徐々に後方へ湾曲しうるような形状にすることができ、後部枠部材８Ｃの平面視および側面視形状と容易に整合させることができる。
【００３２】
背凭れ７は、前記した座体６と同様に、例えばポリプロピレン等の合成樹脂製の背凭れフレーム枠１３を、上下の枠部材１３Ａ，１３Ｂと左右の枠部材１３Ｃ，１３Ｃとによって正面視ほぼ矩形状に形成するとともに、これら各枠部材１３Ａ〜１３Ｃの内周面に、たとえばポリアミド繊維やポリプロピレン繊維等をメッシュ状に編成または織成した弾性膜状部材１４の周端縁を支持させて張設することにより、背当面が形成されている。
背凭れ７は、図４に示すように、背凭れフレーム枠１３における左右の枠部材１３Ｃ，１３Ｃの下端部にそれぞれ設けた取付穴１５を、脚体２における左右の側脚３の後脚３ａ，３ａの上端から上方に突出しうるように設けた支持杆１６，１６に差込むことにより、座体６の後部に起立しうるように取り付けられている。
【００３３】
背凭れフレーム枠１３における上枠部材１３Ａと下枠部材１３Ｂとは、図１および図２に示すように、平面視において、後方に向けて突出するように湾曲する弧形状に形成されている。
左右の各側枠部材１３Ｃは、図３に示すように、側面視において、上下方向のほぼ中間位置が前方に向けて屈曲するほぼ「く」の字状に、それぞれ形成されている。
【００３４】
背凭れフレーム枠１３には、図１、図２、図４にそれぞれ示すように、下枠部材１３Ｂにおける左右両側部近傍と、左右の側枠部材１３Ｃ，１３Ｃにおける屈曲部１３ａとの間に、それぞれ外側斜め上方に向けて左右１対の形状保持部材１７，１７が、左右対称的に配置されるように跨設され、これら各形状保持部材１７には、前記弾性膜状部材１４における左右両側部の下部が支持されるようになっている。
形状保持部材１７は、背凭れ７の成型時に、背凭れフレーム枠１３と弾性膜状部材１４と共に一体的に成型されるようになっている。
【００３５】
図９は、図４におけるIX−IX線の背凭れの拡大横断端面図、図１０は、図３におけるＸ−Ｘ線の背凭れの拡大横断端面図、図１１は、図３におけるXI−XI線の背凭れの拡大縦断端面図である。
【００３６】
背凭れフレーム枠１３に張設された弾性膜状部材１４は、図９〜図１１に示すように、上端縁１４ａが上枠部材１３Ａの内周面に、下端縁１４ｂが下枠部材１３Ｂの内周面に、左右の側端縁１４ｃが側枠部材１３Ｃの内周面に支持されているとともに、側面視において、上下方向のほぼ中間位置が前方に向けて緩やかに湾曲するほぼ「く」の字状をなし（図１１参照）、かつ平面視において、後方に向けて突出するように湾曲する弧形状をなすように張設されている（図９参照）。
【００３７】
上記した背凭れ７の構成によれば、背凭れフレーム枠１３を形成する下枠部材１３Ｂの左右方向の両側部近傍と、左右の側枠部材１３Ｃ，１３Ｃの各屈曲部１３ａとの間にそれぞれ跨設した形状保持部材１７に、弾性膜状部材１４における左右両側部の下部が支持されるように張設することにより（図１０参照）、図１１に示すように、弾性膜状部材１４の左右両側部における左右の側枠部材１３Ｃの屈曲部１３ａ近傍に発生する前方への弾性復帰力、すなわち上枠部材１３Ａが、平面視において、後方に向けて突出するように湾曲する弧形状に形成されていることによる、前方へ向けて平坦な面に近づこうとする引張力を押さえ込むような抑制力（図１１に矢印で示す）が働くようになっている。
すなわち、形状保持部材１７は、弾性膜状部材１４の後面を前方に向けて押圧するように支持することにより、弾性膜状部材１４の弾性復帰力の発生方向に対して、その抑制方向の力を大きく付与することができるようになっている。
これにより、特に、左右の側枠部材１３Ｃの屈曲部１３ａ近傍間における上下方向の弾性膜状部材１４の側面視曲線形状を、長期に亘って維持することが可能になっている。
【００３８】
また、弾性膜状部材１４の湾曲基点Ｃは、その左右の側部の下部を形状保持部材１７によって支持されるために、図１１に破線で示すように、側枠部材１３Ｃの屈曲基点Ｃ0よりも上位、すなわち、図３に示す着座状態において、着座者の腰骨の下部近傍に相当する位置にある側枠部材１３Ｃの屈曲基点Ｃ0よりも上方に位置して、着座者の腰椎部分を押圧するようになり、背筋の張った安定した着座姿勢を得ることができる。
【００３９】
なお、上記の実施形態において、上枠部材１３Ａを、平面視において、後方に向けて突出するように湾曲する弧形状に形成することにより、弾性膜状部材１４の張設によって、弾性膜状部材１４に対して左右の側枠部材１３Ｃの屈曲部１３ａ近傍に前方への弾性復帰力が発生しうるようにしたが、上枠部材１３Ａが、平面視において、左右方向に直線状に延びる場合には、前方への弾性復帰力が発生せず、逆に、弾性膜状部材１４の背当面が平坦な面に近づこうとして、後方へ押し下がろうとする力が発生するため、この力に対して、弾性膜状部材１４を前方に押し出す抑制方向の力が、左右の形状保持部材１７によって付与され、上下方向の弾性膜状部材１４の側面視曲線形状が、長期に亘って維持されることを可能にしている。
【符号の説明】
【００４０】
１    椅子
２    脚体
３    側脚
３ａ  後脚
４，５  連結杆
６    座体
７    背凭れ
８    座フレーム枠
８Ａ  前部枠部材
８Ｂ  後部枠部材
８Ｃ  側部枠部材
９    弾性膜状部材
９ａ  前端縁
９ｂ  後端縁
９ｃ  側端縁
１０  前舌片
１０ａ  後端部
１１  後舌片
１１ａ  前端部
１２  凹陥部
１３  背凭れフレーム枠
１３ａ  屈曲部
１３Ａ  上枠部材
１３Ｂ  下枠部材
１３Ｃ  側枠部材
１４  弾性膜状部材
１４ａ  上端縁
１４ｂ  下端縁
１４ｃ  側端縁
１５  取付穴
１６  支持杆
１７  形状保持部材
Ｃ    弾性膜状部材の湾曲基点
Ｃ0   側枠部材の屈曲基点
Ｐ    弾性膜状部材前部の最高点
Ｑ    弾性膜状部材後部の最下点
Ｒ    側部枠部材前部の最高点
Ｓ    側部枠部材後部の最下点
【図１】
0005415859.tif 000002
【図２】
0005415859.tif 000003
【図３】
0005415859.tif 000004
【図４】
0005415859.tif 000005
【図５】
0005415859.tif 000006
【図６】
0005415859.tif 000007
【図７】
0005415859.tif 000008
【図８】
0005415859.tif 000009
【図９】
0005415859.tif 000010
【図１０】
0005415859.tif 000011
【図１１】
0005415859.tif 000012